(57)【要約】      （修正有）【課題】発熱した熱エネルギを最大限に利用し、かつ天板部分が加熱される事を防止できる電気火鉢を提供する。【解決手段】本体１０上部の天板２の開口部２２に、ヒータユニット３を備えた電気火鉢１であって、前記本体１０に備えた前記電気火鉢１の外部と内部とを貫通する熱遮断用吸気口１７と、前記ヒータユニット３と前記開口部２２の内側開口縁部２２１との間に備えた前記電気火鉢１の内部と前記開口部２２の上方とを貫通する熱遮断空気路とにより、前記熱遮断用吸気口１７より前記本体１０内部に流入し、前記熱遮断空気路を通過して前記開口部２２の上方へ流出する熱遮断空気流ａを形成した。【選択図】図６
2006038411.tif 000002
【特許請求の範囲】
【請求項１】
本体上部の天板の開口部にヒータユニットを備えた電気火鉢であって、
前記本体に備えた前記電気火鉢の外側から内側に吸気する吸気部と、
前記ヒータユニットと前記開口部の開口縁部との間に備えた前記電気火鉢の内側から前記開口部の上方へ排気する空気通路部とにより、
空気が前記吸気部より前記本体内側に流入し、前記空気通路部を通過して前記開口部の上方へ流出する第一空気流路を形成した
電気火鉢。
【請求項２】
前記ヒータユニットを、平面視円形の円形ヒータと、該円形ヒータの底面側と側面外側を覆う据付基台とで構成し、
前記据付基台の前記円形ヒータの平面視外側位置に通気部を備え、
空気が前記吸気部から前記本体内側に流入し、前記通気部を通過して前記開口部の上方へ流出する第二空気流路を形成した
請求項１に記載の電気火鉢。
【請求項３】
前記据付基台を、底面中央に前記円形ヒータより大きい穴を形成した炉と、該炉の下方位置で前記ヒータからの熱を上方へ反射する反射板とで形成し、
前記反射板を前記穴の近傍で前記炉に離間を設けて固定し、
該離間によって前記通気部を形成した
請求項２記載の電気火鉢。
【請求項４】
前記開口縁部と該開口縁部に取り付けられる前記ヒータユニットとの間に、所定間隔を隔てて複数のブロックを備え、各ブロックの間に生ずる空間によって前記空気路部を形成した
請求項１から３のいずれか１つに記載の電気火鉢。
【請求項５】
前記吸気部として、前記本体の前記天板近傍に第一吸気口を形成し、
該第一吸気口と前記空気通路部とによって前記第一空気流路を形成した
請求項１から４のいずれか１つに記載の電気火鉢。
【請求項６】
前記吸気部として、前記本体の底面に前記第二吸気口を備えるとともに、前記底板の外側と前記第二吸気口とを連通する風路とを備え、
前記第二吸気口と前記風路と前記通気部とによって前記第二空気流路を形成した
請求項２から５のいずれか１つに記載の電気火鉢。
【請求項７】
前記本体内部に、前記本体外側より引き出し可能な引出しを備え、
該引出しの前面に第三吸気口を備えた
請求項１から６のいずれか１つに記載の電気火鉢。
【発明の詳細な説明】
【技術分野】
【０００１】
この発明は、例えば電気式のヒータを熱源とするような電気火鉢に関する。
【背景技術】
【０００２】
現在、様々な熱源の暖房器具が流通しているが、日本古来からの暖房器具である火鉢と比較すると、いずれの暖房器具も機能的であるが、情緒に欠ける形状のものが多かった。
【０００３】
また、前記火鉢や石油またはガスを燃料とする暖房器具は、昨今の住宅の密閉性から換気に留意する必要があった。
【０００４】
最近では、現在の暖房器具の機能性と古来の火鉢の情緒を融合させ、換気の心配のない火鉢型ハロゲン電気ストーブが提案されている（特許文献１参照）。
【０００５】
しかし、前記ハロゲン電気ストーブは、熱源であるハロゲンランプユニットからの伝導熱によって熱せられる天板を冷却する内部ファンを備えており、前記ハロゲン電気ストーブの使用時には、内部ファンが常時稼動している。
【０００６】
これにより静寂な空間においてファンの稼動音が雑音となり、火鉢形状による情緒を半減させていた。また、火鉢内にファンを内蔵させるためのスペースが必要であり、古来の火鉢に設けている引き出しの装備が不可能であった。
また、内部ファンによって冷却することと、熱源によって発熱することとは効果が相反するものであり、暖房を目的として発熱したエネルギに無駄が生じていた。
【０００７】
【特許文献１】実用新案登録第３０３７７６７号公報
【発明の開示】
【発明が解決しようとする課題】
【０００８】
この発明は、上述の問題を鑑み、効率の良い暖房効果を得る事ができ、火鉢形状による情緒を堪能できる電気火鉢を提案するものである。
【課題を解決するための手段】
【０００９】
この発明は、本体上部の天板の開口部にヒータユニットを備えた電気火鉢であって、前記本体に備えた前記電気火鉢の外側から内側に吸気する吸気部と、前記ヒータユニットと前記開口部の開口縁部との間に備えた前記電気火鉢の内側から前記開口部の上方へ排気する空気通路部とにより、空気が前記吸気部より前記本体内側に流入し、前記空気通路部を通過して前記開口部の上方へ流出する第一空気流路を形成した電気火鉢であることを特徴とする。
【００１０】
これにより、電気火鉢稼動時にヒータユニットからの伝導熱を断熱することができる。したがって、天板の加熱が防止でき、従来のように加熱された天板を不用意に触って火傷することを防止でき、さらに天板が加熱されないため、天板の上面をテーブル代わりに利用することができる。
【００１１】
この発明の態様として、前記ヒータユニットを、平面視円形の円形ヒータと、該円形ヒータの底面側と側面外側を覆う据付基台とで構成し、前記据付基台の前記円形ヒータの平面視外側位置に通気部を備え、空気が前記吸気部から本体内側に流入し、前記通気部を通過して前記開口部の上方へ流出する第二空気流路を形成することができる。
【００１２】
これにより、電気火鉢の稼動中は、電気火鉢内部の空気が常に対流することとなり、本体の内部温度の上昇を防止することができる。
【００１３】
また、電気火鉢の上方周辺の空気が、温風流による対流効果により効率的な暖房効果を得る事ができる。
【００１４】
この発明の態様として、前記据付基台を、底面中央に前記円形ヒータより大きい穴を形成した炉と、該炉の下方位置で前記ヒータからの熱を上方へ反射する反射板とで形成し、前記反射板を前記穴の近傍で前記炉に離間を設けて固定し、該離間によって前記通気部を形成することができる。
【００１５】
これにより、電気火鉢の稼動中は、電気火鉢内部の空気が、常に対流しているため、本体の内部温度の上昇を防止することができる。
【００１６】
また、電気火鉢周辺の空気が温風流による対流効果に効率的な暖房効果を得る事ができ、さらにヒータ付近で滞留している温められた空気を温風流に合流させることによって、より効率的な暖房効果を得る事ができる。
【００１７】
またこの発明の態様として、前記開口縁部と該開口縁部に取り付けられる前記ヒータユニットとの間に、所定間隔を隔てて複数のブロックを備え、各ブロックの間に生ずる空間によって前記空気路部を形成することができる。
【００１８】
これにより、電気火鉢稼動時にヒータユニットからの伝導熱を断熱することができる。したがって、従来のようなに不用意に加熱された天板を触って火傷するといったことを防止でき、さらに天板が加熱されないため、天板の上面をテーブル代わりに利用することができる。
【００１９】
またこの発明の態様として、前記吸気部として、前記本体の前記天板近傍に第一吸気口を形成し、該第一吸気口と前記空気通路部とによって前記第一空気流路を形成することができる。
【００２０】
これにより、第一空気流路の距離を短くすることができ、より効率的な断熱効果を得る事ができる。
【００２１】
またこの発明の態様として、前記吸気部として、前記本体の底面に前記第二吸気口を備えるとともに、前記底板の外側と前記第二吸気口とを連通する風路とを備え、前記第二吸気口と前記風路と前記通気部とによって前記第二空気流路を形成することができる。
【００２２】
これにより、電気火鉢底部の周辺外側の空気を吸気し、より効率的に本体内部の内部温度上昇を防止することができる。
【００２３】
またこの発明の態様として、前記本体に、前記本体外側より引き出し可能な引出しを備え、該引出しの前面に第三吸気口を備えることができる。
【００２４】
これにより、引き出し内部に収納した物品等が電気火鉢内部の内部温度によって温められることを防止する。
【発明の効果】
【００２５】
この発明により、発熱した熱エネルギを最大限に利用し、かつ天板部分が加熱される事を防止することができる。
【発明を実施するための最良の形態】
【００２６】
この発明の一実施形態を以下図面と共に説明する。  
図１は、電気火鉢１を右側上方より見た斜視図を示し、図２は、電気火鉢１の平面図を示す。
【００２７】
電気火鉢１は、本体１０と、天板２と、ヒータユニット３と、電源装置４とから構成している。
【００２８】
天板２の奥行きおよび幅の外寸法は、本体１０より大きく、おおよそ５０ｃｍ四方であり、中央に約３２ｃｍ四方の開口部２２を設けている。  
ヒータユニット３は、開口部２２に取り付けられている。  
なお、本体１０および天板２は木材によって形成している。
【００２９】
本体１０の前板５１の中央下部には、引手金具１４を設けた引き出し１３を備え、本体１０の両側面５２には、電気火鉢１を運搬する際の握持手段となる引手金具１４を取り付けている。
【００３０】
図３は電気火鉢１の正面図であり、図４は右側面図である。  
引出し１３の前面の引手金具１４の周囲に４箇所と、引手金具１４の中央に１箇所の引出し通気孔１６を備え、前板５１、側板５２および背板５３の中央上部にはそれぞれ３箇所の熱遮断用吸気口１７が設けられている。
【００３１】
熱遮断用吸気口１７の取付け位置は、斜め上方より電気火鉢１を見た場合に天板２の張り出し部分２１の影となって隠れて見えない高さとしている。  
また、底板６の各側面中央部には、後述する底板風路６１（図５）の吸気口６２を備えている。
【００３２】
図５は、電気火鉢１の底面図である。  
底板６は、側面に風路口６２と、底面側に底板風路６１と、中央に底部吸気口１８を備えている。
【００３３】
底板６の外側の空気は風路口６２より吸気され底板風路６１を通過して、底部吸気口１８を通って電気火鉢１内部に流入される。
【００３４】
なお、底板風路６１は、幅約１０ｃｍ、高さ約１ｃｍの形状であり、四角い棒状の底板６の各辺中央の底面を切り欠いて形成してあり、底部吸気口１８は直径約５ｃｍである。
【００３５】
図６は、電気火鉢１のＡ−Ａ断面図（図１）であり、図７はヒータユニット３の取付け部の拡大図である。
【００３６】
電気火鉢１は、ヒータユニット３を天板２の開口部２２に係止し、ヒータユニット３は、制御部１５と接続され、電源装置４より入力された操作信号によって稼動する。
【００３７】
ヒータユニット３は、図７に示すように開口部２２の内側開口縁部２２１に設けた段差状の係止部２１に、炉３１の外周に備えた鍔部３１１を上から載置するように係止して天板２に設置している。
【００３８】
なお、炉３１の炉側面３１５の外周寸法は、内側開口縁部２２１の内周寸法より小さく形成している。したがって、開口部２２にブロック７１を介在させて炉３１を係止した状態においては、炉側面３１５と内側開口縁部２２１との間に空間が生ずる。
【００３９】
図４に示したように、ブロック７１は、鍔部３１１と係止部２１との間に、所定間隔を隔て、炉３１の一辺当たりに２つ備えている。
【００４０】
これにより、炉側面３１５と内側開口縁部２２１との間の空間と、各ブロック７１によって確保された鍔部３１１の下面と係止部２１との上面の間との空間を結ぶ熱遮断空気路８１を備えている。  
なお、ブロック７１は、断熱材料にて側面視逆Ｌ型で形成している。
【００４１】
ここで熱遮断空気流ａは、電気火鉢１外側の空気を熱遮断用吸気口１７から本体１０内部に吸気し、熱遮断空気路８１を通過して開口部２２の上方に流出する。
【００４２】
このとき、熱遮断空気路８１を通過する空気は遮断層となって、炉３１からの伝導熱が内側開口縁部２２１に伝導することを防止する。
【００４３】
さらに、熱遮断空気路８１を通過する空気は、炉３１からの伝導熱を遮断することによって暖められて膨張し、開口部２２上方に流出され、熱遮断空気路８１には、熱遮断用吸気口１７から吸気された暖められていない空気が流入する。
【００４４】
図６に示すように、底板６の中央部には、底部吸気口１８を備え、底板６の底面側に側面外側と底部吸気口１８とを連通する風路６１を備えている。
【００４５】
ここで温風流ｂは、底板６の側面外側の空気を風路口６２から流入し、底板風路６１、底部吸気口１８、対流用通路３４（図７）、円形孔３２３３（図８）ならびにガードプレート３２１の通気孔３２１１（図４）を通過してヒータユニット３の上方へ流出する。  
これによって、電気火鉢１の暖房効果を高め、かつ電気火鉢１の内部温度の上昇を防止する。
【００４６】
詳述すると、底板６の側面に備えた風路口６２より底板６外側の空気が底板６の底面に設けた底板風路６１を移動して底部吸気口１８より電気火鉢１内部に吸気される。
【００４７】
吸気された空気は、本体１０内部で上昇し、後述する対流用通路３４と円形孔３２３３とに分かれて通過し、ハロゲンランプ３２２の付近で温められて、再度合流する。
【００４８】
ハロゲンランプ３２２によって暖められた空気は膨張し、対流効果によってガードプレート３２１の通気孔３２１１を通過してヒータユニット３の上方へ流出する。
【００４９】
ヒータユニット３の上方へ流出された空気によって電気火鉢１の暖房効果は、温風流ｂを生じさせない電気火鉢と比較して増大し、さらに電気火鉢１の稼動時には、電気火鉢１内部の空気は常に対流しているため、本体内部の内部温度の上昇を防止する。
【００５０】
特に、図７に示すように底板３１２と五徳３３とに囲まれた隅角部３３１には、温められた空気が滞留し、炉３１の温度上昇の要因のひとつとなっていたが、対流用通路３４を通過する対流によって隅角部３３１内の空気が誘引され炉３１の温度上昇を防止できる。
【００５１】
図６に示した引出し１３の前面１３１と背面１３２には、引出し通気孔１６ａ、１６ｂを備え、電気火鉢１内部に引出し１３の上方を覆う仕切り板１３３を備えている。
【００５２】
これにより、引出し通気孔１６ａより吸気された空気が引出し１３内を通過して引出し通気孔１６ｂから流出して温風流ｂと合流するため、引出し１３内部の空気も滞留することがなく、引出し１３内の温度上昇を防止できる。
【００５３】
電源装置４は、電源側コネクタ４１と、コントローラ４２と、コード４３と、本体側コネクタ４４とから構成し、本体側コネクタ４４を背板５３に備えた差し込み口１２１を貫通して本体１０内部に装備された制御部１５に接続し、電源側コネクタ４１を家庭用コンセントに接続している。
【００５４】
なお、コントローラ４２は、電気火鉢１の始動、停止および温度調節を行うための入力装置である。
【００５５】
図８はヒータユニット３のＢ−Ｂ断面図（図４）であり、図９はヒータユニット３のＣ−Ｃ底面図である。
【００５６】
ヒータユニット３は、炉３１と、ヒータ部３２と、五徳３３から構成し、炉３１の上部外周には、係止部２１（図６）に係止するための鍔部３１１がある。  
なお、炉３１は銅製であるが、銅以外の熱伝導性および蓄熱作用の高い材料で形成してもよい。
【００５７】
また、炉３１は鉛直な側面を有する深皿形状であり、底面中央にヒータ部３２を取り付けるための孔部３１３を備えた形状である。
【００５８】
五徳３３は、ヒータ部３２の下側の孔部３１３を臨んで底板３１２上に載置している。電気火鉢１使用時には、五徳３３にやかん等を載置して使用することができる。
【００５９】
ヒータ部３２は、ガードプレート３２１と、ハロゲンランプ３２２と、反射板３２３と、基板３２４と、スペーサ３２５ならびに固定スタンド３２６から構成している。
【００６０】
ガードプレート３２１は、平面視円形、かつ側面視凸形状であり、平面視放射状に配した複数の通気孔３２１１を備え、熱源であるハロゲンランプ３２２の上方からの落下物による破損の防止を目的として、反射板３２３に固定している。
【００６１】
また、ハロゲンランプ３２２は、平面視略馬蹄形状に形成したハロゲンランプ管であり、ガードプレート３２１と反射板３２３との間に配して、ハロゲンランプ３２２の基端を、反射板３２３の上面後縁部に固定している。
【００６２】
反射板３２３は、平面視円形で、中央にハロゲンランプ３２２と同程度の大きさの円形孔３２３３を設け、該円形孔３２３３の周部を下方へ傾斜させて形成している。
【００６３】
また、下方へ傾斜させた前記円形孔３２３３の周部を反射部３２３１とし、反射部３２３１によってハロゲンランプ３２２の下向きの放射熱を上向きに反射させ、反射部３２３１の傾斜角度を変更することによって、反射方向を任意に設定することができる。
【００６４】
なお、反射板３２３は、スペーサ３２５を介して基板３２４に固定し、基板３２４の前方に取り付けられた固定スタンド３２６は、ハロゲンランプ３２２の基端と反対側の前方を固定している。
【００６５】
反射板３２３を炉３１に固定することで、ヒータ部３２は炉３１に固定されている。詳述すると、反射板３２３の外周部に６箇所のネジ止め部３２３２を均等間隔で備え、反射板３２３と炉３１のネジ止め部３２３２を互いに面する側の一部を突出させ、突出部でネジ固定することによって、反射板３２３と炉３１の間には対流用通路３４が形成される。
【００６６】
これにより、電気火鉢１の暖房機構は、最初にハロゲンランプ３２２からの直接の放射熱による暖房効果、次にハロゲンランプ３２２の放射熱を反射部３２３１によって反射する反射熱による暖房効果の二段階の暖房効果を得ることができる。
【００６７】
さらに対流用通路３４を通過する温風流ｂの対流効果によって、電気火鉢１で発生した暖房効果を効率よく利用することができる。
【００６８】
なお、突出するネジ止め部３２３２は、反射板３２３と炉３１との両方であっても良いし、また片方のみであってもよい。
【００６９】
また、ネジ止め部３２３２を通常の平滑な面のネジ孔とし、反射板３２３と炉３１との間にリング状スペーサを介して反射板３２３と炉３１を固定して対流用通路３４を形成しても良い。
【００７０】
また、ハロゲンランプ３２２は、起動後数秒で加熱し始めるため、早い段階で、暖房効果を得ることができる。  
また、この実施形態においては、ヒータユニット３の熱を反射した反射熱を上方に拡散するように反射部３２３１の角度を設定しているためヒータユニット３の上方の広範囲に暖房効果を得ることができる。
【００７１】
図１０は、火傷防止枠９を取り付けた電気火鉢１を右側上方より見た斜視図であり、図１１は、火傷防止枠９を取り付けた電気火鉢１のヒータユニット３の取付け部の拡大図である。
【００７２】
火傷防止枠９は、炉３１の平面視内側寸法と同じ内面寸法、かつ係止部２２（図６）より上側の内側開口縁部２２１よりわずかに小さい平面視外側寸法を有する枠形状である。
【００７３】
また、火傷防止枠９の底面には、所定間隔を隔てて複数のビス９１を螺入してあり、ビス９１を介在して火傷防止枠９を鍔部３１１の上面に載置することによって、火傷防止枠９の底面と鍔部３１１の上面との間に空間が生じ、熱遮断空気流ａの開口部２２側上方へ流出する流出口を確保することができる。
【００７４】
なお、ビス９１を取り付けた火傷防止枠９の高さは、鍔部３１１の上面に載置した際に天板２の上面から突出しない高さとしている。
【００７５】
火傷防止枠９は、電気火鉢１の稼動時において、炉３１が加熱され、不用意に利用者が鍔部３１１に接触して火傷するといったことを防止することができる。
【００７６】
また、ビス９１の代わりに、耐熱性のブロックを火傷防止枠９の底面に貼り付けても良い。
【００７７】
この発明の構成と、上述の実施形態との対応において、
この発明の吸気部は、引出し通気孔１６、熱遮断用吸気口１７ならびに底部吸気口１８に対応し、
以下同様に
開口縁部は、内側開口縁部２２１に対応し、
空気通路部は、熱遮断空気路８１に対応し、
第一空気流路は、熱遮断空気流ａに対応し、
円形ヒータは、ハロゲンランプ３２２に対応し、
据付基台は、炉３１および反射板３２３に対応し、
通気部は、対流用通路３４に対応し、
第二空気流路は、温風流ｂに対応し、
第一吸気口は、熱遮断用吸気口１７に対応し、
風路は、底板風路６１に対応し、
第二吸気口は、底部吸気口１８に対応し、
第三吸気口は、引出し通気孔１６に対応するも、
この発明は、上述の実施形態の構成のみに限定されるものではなく、多くの実施の形態を得ることができる。
【図面の簡単な説明】
【００７８】
【図１】電気火鉢を右側上方より見た斜視図。
【図２】電気火鉢の正面図。
【図３】電気火鉢の右側面図。
【図４】電気火鉢の平面図。
【図５】電気火鉢の底面図。
【図６】電気火鉢のＡ−Ａ断面図。
【図７】ヒータユニット３の取付け部の拡大図。
【図８】ヒータユニットのＢ−Ｂ断面図。
【図９】ヒータユニットのＣ−Ｃ底面図。
【図１０】火傷防止枠を取り付けた電気火鉢を右側上方より見た斜視図。
【図１１】火傷防止枠を取り付けた電気火鉢のヒータユニット３の取付け部の拡大図。
【符号の説明】
【００７９】
１…電気火鉢
２…天板
３…ヒータユニット
１０…本体
１６…引出し通気孔
１７…熱遮断用吸気口
１８…底部吸気口
２２…開口部
３１…炉
３４…対流用通路
６１…底板風路
７１…ブロック
８１…熱遮断空気路
２２１…内側開口縁部
３２２…ハロゲンランプ
３２３…反射板
ａ…熱遮断空気流
ｂ…温風流
【図１】
2006038411.tif 000003
【図２】
2006038411.tif 000004
【図３】
2006038411.tif 000005
【図４】
2006038411.tif 000006
【図５】
2006038411.tif 000007
【図６】
2006038411.tif 000008
【図７】
2006038411.tif 000009
【図８】
2006038411.tif 000010
【図９】
2006038411.tif 000011
【図１０】
2006038411.tif 000012
【図１１】
2006038411.tif 000013